(57)【要約】【課題】管理情報を出力する端子を設けなくても、照明装置の管理情報を外部の装置が取得できるようにする。【解決手段】制御部１２０は発光部１１０を制御する。記憶部１２２は、発光部１１０に関する情報（以下、管理情報と記載）を記憶している。そして制御部１２０は、第１モード及び第２モードを有している。第１モードにおいて、制御部１２０は発光部１１０を照明用の光源として機能させる。第２モードにおいて、制御部１２０は、管理情報に従って発光部１１０の発光条件を変化させることにより管理情報を出力する。【選択図】図１
2015191719.tif 000002
【特許請求の範囲】
【請求項１】
発光部と、
前記発光部を制御する制御部と、
前記発光部に関する情報である管理情報を記憶する記憶部と、
を備え、
前記制御部は、
前記発光部を照明用の光源として機能させる第１モードと、
前記管理情報に従って前記発光部の発光条件を変化させることにより前記管理情報を出力する第２モードと、
を有する照明装置。
【請求項２】
請求項１に記載の照明装置において、
前記制御部は、前記第２モードにおいて前記発光部の輝度を変化させる照明装置。
【請求項３】
請求項２に記載の照明装置において、
前記制御部は、前記第２モードにおいて、人が変化を認識しにくい範囲で前記発光部の輝度を変化させる照明装置。
【請求項４】
請求項１に記載の照明装置において、
前記制御部は、前記第２モードにおいて前記発光部の発光色を変化させる照明装置。
【請求項５】
請求項４に記載の照明装置において、
前記制御部は、前記第２モードにおいて、人が変化を認識しにくい範囲で前記発光部の発光色を変化させる照明装置。
【請求項６】
請求項５に記載の照明装置において、
前記制御部は、前記第２モードにおいて前記発光部の発光色を、ｕ−ｖ座標系の色度空間において、基準座標からΔｕ及びΔｖの双方が±０．１以下の範囲内、又は√（Δｕ２＋Δｖ２）＜０．１を満たす範囲内で変化させる照明装置。
【請求項７】
請求項４に記載の照明装置において、
前記制御部は、前記第２モードにおいて前記発光部の色温度を変化させる照明装置。
【請求項８】
請求項１に記載の照明装置において、
前記制御部は、前記制御部を前記第２モードで動作させることを示すモード切替情報を受信したときに、前記第２モードで動作する照明装置。
【請求項９】
照明装置が発光した光を前記照明装置の管理情報に変換する受光装置であって、
前記照明装置は、前記管理情報に従って前記発光部の発光条件を変化させることにより前記管理情報を出力し、
前記照明装置からの光を受光して電気信号に変換する受光部と、
前記電気信号を用いて前記管理情報を生成する管理情報生成部と、
を備える受光装置。
【請求項１０】
照明装置及び受光装置を備え、
前記照明装置は、
発光部と、
前記発光部を制御する制御部と、
前記発光部に関する情報である管理情報を記憶する記憶部と、
を備え、
前記制御部は、
前記発光部を照明用の光源として機能させる第１モードと、
前記管理情報に従って前記発光部の発光条件を変化させることにより前記管理情報を出力する第２モードと、
を有し、
前記受光装置は、
前記照明装置からの光を受光して電気信号に変換する受光部と、
前記電気信号を用いて前記管理情報を生成する管理情報生成部と、
を備える照明システム。
【発明の詳細な説明】
【技術分野】
【０００１】
本発明は、照明装置、受光装置、及び照明システムに関する。
【背景技術】
【０００２】
近年は、有機ＥＬ素子やＬＥＤなどの自発光素子を照明装置の光源として利用することが増えている。このような照明装置において、発光素子を有する発光部（例えば発光パネル）の動作履歴などを管理する必要がある。例えば特許文献１には、有機ＥＬパネルに、特性情報を出力するための端子を設けることが記載されている。なお、特許文献２には、有機ＥＬ装置に、その有機ＥＬ装置の動作情報（例えば最大駆動電流）を示すバーコードなどを設けることが記載されている。
【先行技術文献】
【特許文献】
【０００３】
【特許文献１】特開２００７−１７３０８８号公報
【特許文献２】特表２０１２−５０２４５９号公報
【発明の概要】
【発明が解決しようとする課題】
【０００４】
上記したように、照明装置において、発光素子を有する発光部の動作履歴などを管理する必要がある。一方、特許文献１のように動作履歴などの管理情報を出力するための端子を照明装置に設けたとしても、照明装置が天井など人の手が届きにくい場所に設置されていた場合、管理情報を取得する際に照明装置の端子に配線を接続することを容易に行えないため、管理情報を取得することは容易ではなくなる。
【０００５】
本発明が解決しようとする課題としては、管理情報を出力する端子を設けなくても、照明装置の管理情報を外部の装置が取得できるようにすることが一例として挙げられる。
【課題を解決するための手段】
【０００６】
請求項１に記載の発明は、発光部と、
前記発光部を制御する制御部と、
前記発光部に関する情報である管理情報を記憶する記憶部と、
を備え、
前記制御部は、
前記発光部を照明用の光源として機能させる第１モードと、
前記管理情報に従って前記発光部の発光条件を変化させることにより前記管理情報を出力する第２モードと、
を有する照明装置である。
【０００７】
請求項９に記載の受光装置は、照明装置が発光した光を前記照明装置の管理情報に変換する受光装置であって、
前記照明装置は、前記管理情報に従って前記発光部の発光条件を変化させることにより前記管理情報を出力し、
前記照明装置からの光を受光して電気信号に変換する受光部と、
前記電気信号を用いて前記管理情報を生成する管理情報生成部と、
を備える受光装置である。
【０００８】
請求項１０に記載の照明システムは、照明装置及び受光装置を備え、
前記照明装置は、
発光部と、
前記発光部を制御する制御部と、
前記発光部に関する情報である管理情報を記憶する記憶部と、
を備え、
前記制御部は、
前記発光部を照明用の光源として機能させる第１モードと、
前記管理情報に従って前記発光部の発光条件を変化させることにより前記管理情報を出力する第２モードと、
を有し、
前記受光装置は、
前記照明装置からの光を受光して電気信号に変換する受光部と、
前記電気信号を用いて前記管理情報を生成する管理情報生成部と、
を備える照明システムである。
【図面の簡単な説明】
【０００９】
【図１】実施形態に係る照明システムの構成を説明するための図である。
【図２】制御部の第２モードの第１例を説明するための図である。
【図３】制御部の第２モードの第２例を説明するための図である。
【図４】制御部の第２モードの第３例を説明するための図である。
【図５】制御部の第２モードの第４例を説明するための図である。
【図６】制御部の第２モードの第５例を説明するための図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
なお、以下に示す説明において、照明システム１０の各構成要素は、ハードウエア単位の構成ではなく、機能単位のブロックを示している。例えば照明システム１０の制御部１２０、記憶部１２２、入力部１３０、管理情報生成部２２０、及び記憶部２２２は、各構成要素は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１２】
図１は、実施形態に係る照明システム１０の構成を説明するための図である。照明システム１０は、照明装置１００及び受光装置２００を備えている。
【００１３】
照明装置１００は、発光部１１０、制御部１２０、及び記憶部１２２を有している。制御部１２０は発光部１１０を制御する。記憶部１２２は、発光部１１０に関する情報（以下、管理情報と記載）を記憶している。そして制御部１２０は、第１モード及び第２モードを有している。第１モードにおいて、制御部１２０は発光部１１０を照明用の光源として機能させる。第２モードにおいて、制御部１２０は、管理情報に従って発光部１１０の発光条件を変化させることにより管理情報を出力する。
【００１４】
受光装置２００は、受光部２１０及び管理情報生成部２２０を有している。受光部２１０は、照明装置１００からの光を受光して電気信号に変換する。管理情報生成部２２０は、受光部２１０が生成した電気信号を用いて前記管理情報を生成する。以下、詳細に説明する。
【００１５】
照明装置１００は、例えばパネル型の照明装置であり、例えば壁や天井に配置されている。照明装置１００の発光部１１０は、発光素子として有機ＥＬ素子などの自発光素子を有している。発光部１１０は、発光素子を一つのみ有していても良いし、発光素子を複数有していても良い。後者の場合、制御部１２０は、複数の発光素子を個別に制御できるようにしていても良い。さらにこの場合、複数の発光素子は、互いに異なる色（例えば赤、緑、及び青）を発光しても良い。このようにすると、制御部１２０は、発光部１１０の発光色（色温度や色度）を制御することができる。
【００１６】
また発光部１１０は、ひとつの発光パネルによって形成されていても良いし、複数の発光パネルによって形成されていても良い。
【００１７】
記憶部１２２は、発光部１１０の管理情報を記憶している。管理情報には、品目情報、製品関連情報、特性情報、及び駆動履歴情報の少なくとも一つが含まれている。品目情報には、品番情報、品名情報、及び構成情報が含まれている。製品関連情報には、設計意図、コスト情報、売価、材質、及び加工法の少なくとも一つが含まれている。特性情報には、発光部１１０の駆動電圧、駆動電流、輝度、色度、及び色温度の少なくとも一つが含まれている。動作履歴情報には、発光部１１０の動作時間が含まれている。動作履歴情報には、発光部１１０の特性情報の経時変化（例えば予め定められた時間が経過した後の値）が含まれている。
【００１８】
制御部１２０は、発光部１１０を照明として発光させる場合（第１モード）は、予め定められた条件（又はユーザから入力された条件）で、発光部１１０を発光させる。このとき、制御部１２０は発光部１１０の発光条件を、ユーザから新たな発光条件が入力された場合を除いて、変化させない。一方、制御部１２０は、発光部１１０から管理情報を出力する場合（第２モード）には、記憶部１２２から管理情報を読み出し、読み出した管理情報を示すデジタル信号を出力するように、発光部１１０の発光条件を時間とともに変化させる。
【００１９】
また、照明装置１００は入力部１３０を有している。入力部１３０は、例えば回転式のスイッチ、押下式のスイッチ、又はタッチパネルなどの入力デバイスを有しており、ユーザが照明装置１００に情報を入力する際に用いられる。ここで入力される情報には、発光部１１０を照明として発光させる場合における発光条件（例えば輝度や発光色）が含まれる。また入力部１３０から入力される情報には、制御部１２０の制御モードを第１モードから第２モードに切り替える情報（モード切替情報）が含まれていてもよい。制御部１２０は、モード切替情報を受信したときに、発光部１１０を第２モードで動作させる。
【００２０】
なお、制御部１２０の動作モードが第２モードから第１モードに戻るときのトリガーには、タイマーが用いられても良いし、入力部１３０から再度入力されたモード切替情報が用いられても良い。前者の場合、制御部１２０は、予め定められた時間が経過した後、第２モードから第１モードに戻る。後者の場合、制御部１２０は、モード切替情報が再度入力されるまで、第２モードで動作する。
【００２１】
なお、入力部１３０としては、光センサを用いることもできる。この場合、入力部１３０は、外部から、制御部１２０の制御モードを第１モードから第２モードに切り替えることを示す光信号を受光して、電気信号であるモード切替情報に変換し、制御部１２０に送信する。なお、上記した光信号は、例えば後述する受光装置２００から発信される。ただし、受光装置２００とは別の信号送信装置が上記した光信号を発信しても構わない。
【００２２】
ここで、発光部１１０が複数の発光素子によって形成されていた場合、制御部１２０は、管理情報をコード化した後、このコードを発光部１１０に表示させても良い。例えば制御部１２０が複数の直線状の発光素子を有している場合、制御部１２０は、管理情報をバーコードに変換しても良い。また発光部１１０が２次元的に発光素子を配置した構成を有している場合、制御部１２０は、管理情報を２次元コードに変換しても良い。ここで管理情報をコード化するための情報は、記憶部１２２に記憶されている。
【００２３】
受光装置２００は、例えば携帯型の装置であり、受光部２１０、管理情報生成部２２０、及び記憶部２２２を有している。受光部２１０は光電変換素子を有しており、発光部１１０が発光した光を電気信号に変換する。管理情報生成部２２０は、受光部２１０が生成した電気信号を用いて管理情報を生成する。記憶部２２２は、管理情報生成部２２０が生成した管理情報を記憶する。
【００２４】
なお、制御部１２０が管理情報をコード化していた場合、管理情報生成部２２０は、このコード情報を管理情報に復号する。ここで、復号の際に用いられる情報は、記憶部２２２に記憶されている。
【００２５】
また、受光装置２００は、管理情報生成部２２０が生成した管理情報を表示する表示部を有していても良い。
【００２６】
図２は、制御部１２０の第２モードの第１例を説明するための図である。本図に示す例において、制御部１２０は発光部１１０の輝度を変化させることにより、管理情報を示すデジタル信号を出力する。具体的には、制御部１２０は、「１」を出力するときには発光部１１０を第１の輝度で発光させ、「０」を出力するときには発光部１１０を第２の輝度で発光させる。
【００２７】
第１の輝度と第２の輝度の差ΔＩは、第２モードの時の最大輝度を１００％とした場合に、１％以上５０％以下、好ましくは５％以上３０％以下である。この下限値は、管理情報生成部２２０や受光部２１０における誤判断を抑制することを意図して定められる。具体的には、下限値を設定することで、管理情報生成部２２０にて管理情報を生成できない輝度が発せられること、又は受光部２１０にて検知できない輝度が発せられることを抑止する。また上限値は、照明装置１００のユーザが輝度の変化を認識しにくくすることを意図して定められる。なお、制御部１２０は、第１の輝度と第２の輝度の差ΔＩが大きい第３モードを有していても良い。この場合、制御部１２０は、入力部１３０への入力があった場合に第３モードで動作する。この第３モードは、例えば照明装置１００による照明範囲に照明装置１００の管理者のみがいる場合に、用いられる。
【００２８】
なお、本図に示す第２モードの例では、相対的に輝度が高い場合を「１」としたが、相対的に輝度が低い場合を「１」としてもよい。また、有機ＥＬ素子の反応速度は比較的速い為、例えば１ビットの情報を出力する時間は基本的に受光装置２００側の受光能力により一義的に決まる。その為、１ビットの情報を出力する時間は想定される受光装置２００に合わせて適宜最適な値が設定される。
【００２９】
図３は、制御部１２０の第２モードの第２例を説明するための図である。本図に示す例においても、制御部１２０は発光部１１０の輝度を変化させることにより、管理情報を示すデジタル信号を出力する。ただし、本実施例において、各輝度はより多くの情報（例えば１バイト）を示している。そして隣り合う輝度の差は、例えば大きい輝度を１００％として、１%以上５０%以下、好ましくは５%以上３０%以下である。
【００３０】
図４は、制御部１２０の第２モードの第３例を説明するための図である。本図に示す例において、制御部１２０は発光部１１０の発光色（例えば色度や色温度）を変化させることにより、管理情報を示すデジタル信号を出力する。具体的には、制御部１２０は、「１」を出力するときには発光部１１０を第１の色度（又は色温度）で発光させ、「０」を出力するときには発光部１１０を第２の色度（又は色温度）で発光させる。第１の色度（又は色温度）と第２の色度（又は色温度）の差ΔＣは、人が変化を認識しにくい範囲で定められている。例えば制御部１２０は、発光部１１０の色度（又は色温度）を、ｕ−ｖ座標系（具体的にはＣＩＥ  １９６０  ＵＣＳ色度座標）において、基準座標からΔｕ及びΔｖの双方が±０．１以下の範囲内、又は√（Δｕ２＋Δｖ２）＜０．１を満たす範囲内で変化させる。なお、この範囲（０．１）は、好ましくは０．０５、さらに好ましくは０．０２である。
【００３１】
なお、図４に示した例において、図３と同様に、色度（又は色温度）の段数を増やし、一つの色度（又は色温度）がより多くの情報（例えば１バイト）の情報を示すようにしても良い。
【００３２】
図５は、制御部１２０の第２モードの第４例を説明するための図である。本図に示す例において、制御部１２０は、発光部１１０に、管理情報を示すバーコードを表示させる。
【００３３】
図６は、制御部１２０の第２モードの第５例を説明するための図である。本図に示す例において、制御部１２０は、発光部１１０に、管理情報を示す２次元コードを表示させる。
【００３４】
以上、本実施形態によれば、管理情報は、発光部１１０からの発光パターンとして出力される。従って、照明装置１００に管理情報を出力するための端子を設ける必要はない。
【００３５】
そして、照明装置１００に管理情報を出力するための端子を設けなくて良い場合、照明装置１００の非発光部の面積を小さくすることができる。これにより、照明装置１００の発光面積を広げることができる。
【００３６】
また、照明装置１００の管理情報を端子から取得する必要がある場合、管理情報を取得する度に、端子への配線の取り付け／取り外しを行う必要がある。このため、管理情報を定期的に取得して管理することは難しい。これに対して本実施形態では、端子への配線の取り付け／取り外しを行う必要がないため、容易に管理情報を定期的に取得することができる。
【００３７】
また、複数の照明装置１００が配置されている場合、複数の照明装置１００のぞれぞれの端子に配線を取り付け／取り外しすることは多大な労力を要する。これに対して本実施形態では、端子への配線の取り付け／取り外しを行う必要がないため、複数の照明装置１００のそれぞれから容易に管理情報を取得することができる。
【００３８】
また、制御部１２０は、管理情報を出力する際に、人が認識しにくい範囲で発光部１１０の発光条件を変化させる。このため、照明装置１００が照明装置として動作している間も、照明装置１００の管理者又は使用者は管理情報を入手できる。
【００３９】
以上、図面を参照して実施形態及び実施例について述べたが、これらは本発明の例示であり、上記以外の様々な構成を採用することもできる。
【符号の説明】
【００４０】
１０ 照明システム
１００ 照明装置
１１０ 発光部
１２０ 制御部
１２２ 記憶部
１３０ 入力部
２００ 受光装置
２１０ 受光部
２２０ 管理情報生成部
２２２ 記憶部
【図１】
2015191719.tif 000003
【図２】
2015191719.tif 000004
【図３】
2015191719.tif 000005
【図４】
2015191719.tif 000006
【図５】
2015191719.tif 000007
【図６】
2015191719.tif 000008